(57)【要約】  【課題】  カラオケの採点において、楽譜情報との比較で採点するカラオケ装置が多いが、原曲の歌手は楽譜通りに歌うとは限らない。原曲の歌手を真似た歌い方をした場合に高得点にならず、音符通りに平坦な歌い方をした場合に高得点となるため、採点の基準に違和感がある。  【解決手段】  カラオケ機のピッチ検出機能によりピッチ検出した元歌唱データを、カラオケ歌唱時に比較対象とすることで、原曲に近い歌い方ほど高得点になりやすい、利用者に納得のできる採点装置を実現する。【選択図】図３
2016095350.tif 000002
【特許請求の範囲】
【請求項１】
歌唱者の音声を入力する音声入力手段と、
音声入力手段から供給されるオーディオ信号からピッチを検出するピッチ検出手段と、
検出したピッチを保存する元歌唱データ記憶手段とを備え、
比較対象としたい前記元歌唱データ記憶手段に記憶された元歌唱データと被採点歌唱の前記ピッチ検出手段により検出されたピッチとを比較して採点をおこなうことを特徴とする採点装置。
【請求項２】
原曲の楽譜情報を有し、当該楽譜情報を元にした採点と、前記元歌唱データとの比較による採点双方を行うことを特徴とする請求項１記載の採点装置。
【請求項３】
前記請求項１の被採点歌唱の歌唱時に、保存した元歌唱データを被採点歌唱の演奏時に同期再生し、元歌唱データをピアノロール上に表示する事を特徴とする請求項１記載の採点装置。
【発明の詳細な説明】
【技術分野】
【０００１】
本発明は、利用者による歌唱を採点する機能を有するカラオケ装置に関する。
【背景技術】
【０００２】
従来の採点機能を有するカラオケ装置は、マイクより入力された歌唱者の音声信号と、演奏楽曲の主旋律等の楽譜データをもとにした楽譜情報とを比較して採点を行うようになっている。
【０００３】
しかしながら、利用者の傾向として、楽譜通りにきちんと歌うよりも、原曲の歌手の歌い方を真似てカッコよく歌いたいものであるが、そのような歌い方をしてもなかなか高得点にはつながらない。
また当の歌手本人がこの様なカラオケ装置で歌唱しても、高得点にはならないことが多い。
【０００４】
逆に、音程とリズムを楽譜通りに正確に歌った利用者は高得点を得ることができるが、エンタテインメントとしてはつまらなくなりやすい。採点における「高得点」と「カッコよさ」の両立ができない既存のカラオケの採点機能に不満をもつユーザが少なくない。
【先行技術文献】
【特許文献】
【０００５】
【特許文献１】特開平１０−１４９１８４号公報
【発明の概要】
【発明が解決しようとする課題】
【０００６】
特許文献１は、機械的に歌った場合よりも、歌手本人の歌唱あるいはそれに近い、表情豊かな歌唱に対して高得点を付けることができる採点機能を有するカラオケ装置を提供することを目的に、
曲データに基づき演奏曲を演奏する演奏手段と、利用者の音声を入力する音声入力手段と、前記利用者の歌唱に基づいて生成される歌唱データである歌声データを取得する歌声データ取得手段と、前記演奏曲の歌手の歌唱に基づいて生成された前記歌手の歌唱データと、前記歌声データ取得手段により取得された前記利用者の歌声データとを比較する歌声データ比較手段とを有することを特徴としており、歌手の歌声データと利用者の歌声データを比較して採点する提案であるが、センターに登録されたプロの歌手の歌唱との対比のみで採点を行っている。
【０００７】
しかし、採点方法としてはプロの歌手に限らず、他の歌手がカバーした場合や、歌のうまい友人が歌唱したもの、あるいはもとの楽譜情報との比較など対比したい対象は無数にあるものである。
【課題を解決するための手段】
【０００８】
そこで本発明の請求項１は、
歌唱者の音声を入力する音声入力手段と、
音声入力手段から供給されるオーディオ信号からピッチを検出するピッチ検出手段と、
検出したピッチを保存する元歌唱データ記憶手段とを備え、
比較対象としたい前記元歌唱データ記憶手段に記憶された元歌唱データと被採点歌唱の前記ピッチ検出手段により検出されたピッチとを比較して行うことを特徴とする採点装置である。
【０００９】
本発明の請求項２は、
原曲の楽譜情報を有し、当該楽譜情報を元にした採点と、前記元歌唱データとの比較による採点双方を行うことを特徴とする請求項１記載の採点装置である。
【００１０】
また本発明の請求項３は、
前記請求項１の被採点歌唱の歌唱時に、保存した元歌唱データを、被採点歌唱の演奏時に同期再生し、元歌唱データ（ＭＩＤＩデータ等）をピアノロール上に表示することにより、歌唱時に模範演奏の録音を聴き、模範歌唱の歌唱データ（ＭＩＤＩデータ等）を見ながら比較できる事を特徴とする請求項１記載の採点装置である。
【発明の効果】
【００１１】
この方法による採点が実現することにより、利用者は、楽譜の歌い方に縛られずに、お仕着せでない自分の理想とする模範と比較して歌唱練習し、自分の目標とする歌唱に近づけることができる。
【図面の簡単な説明】
【００１２】
【図１】本発明の実施例に係る元歌唱データ入力時のシステム構成図。
【図２】本発明の実施例に係る被採点歌唱の採点時のシステム構成図。
【図３】本発明の実施例に係る採点イメージ図。
【図４】本発明の請求項１に係るデータの流れを示すイメージ図。
【図５】本発明の請求項３に係るデータの流れを示すイメージ図。
【発明を実施するための形態】
【００１３】
図１は、本発明の元歌唱データ入力イメージ図である。
利用者は、自分がお手本にしたい演奏（元歌唱１）を音声入力手段２へ入力する。その歌唱はピッチ検出手段３を経て、元歌唱データ記憶手段４へ蓄積される。
【００１４】
図２は、本発明の被採点歌唱の採点時のシステム構成図である。利用者が歌唱した歌唱５は、音声入力手段２より歌唱音声が入力されピッチ検出手段３を経て、蓄積された元歌唱データ記憶手段４から読みだされた元歌唱データと比較され、同時に楽譜情報７との比較も行われる。
【００１５】
図３は、本発明の採点方法におけるイメージ図である。入力された信号がサンプリング（標本化）、量子化を経て符号化され、模範となる歌唱や楽譜情報との差分を以て採点の対象とする。
【００１６】
図４は、元歌唱を入力する際の、既存のカラオケファイルと元歌唱データのイメージである。音声入力手段２から入力された元歌唱は、ピッチ検出手段３によりピッチが検出され、元歌唱データとしてカラオケファイル８に付加される。
【００１７】
図５は、本発明の請求項３に係るデータのイメージである。お手本としたい元歌唱演奏時に録音が行われ、検出したピッチがＭＩＤＩデータとして保存される。
被採点歌唱が行われた際、この保存されたピッチのＭＩＤＩデータが歌唱楽曲のピアノロール上に表示され、また録音された模範歌唱が同期再生されることで、自分の歌唱と模範歌唱の比較が容易となる。
【００１８】
この例では、ギター演奏の際の表示は音域を広くしたピアノロールを例にしているが、ピアノロール以外でも、ギターの場合は演奏時のコードをガイドするタブ譜のような表示でもよい。
またこの方法による採点は歌唱に限定されることなく、楽器の演奏においても自分が目標にしている先生や演奏家の演奏した録音媒体を持参して対比をすることで、目標の演奏により近づくような練習が可能となる。
【符号の説明】
【００１９】
１    元歌唱
２    音声入力手段
３    ピッチ検出手段
４    元歌唱データ記憶手段
５    被採点歌唱
６    採点手段
７    楽譜情報  
８    カラオケファイル
【図１】
2016095350.tif 000003
【図２】
2016095350.tif 000004
【図３】
2016095350.tif 000005
【図４】
2016095350.tif 000006
【図５】
2016095350.tif 000007